(57)【特許請求の範囲】
【請求項１】
基台（１）に、灯具（３）を備えた支持体（２）を、支軸（２Ｄ）周りで３６０度以上で、かつ、７２０度未満の範囲内で回動自在に取付けてある照明器具であって、
前記支持体（２）の端部側に、前記基台（１）に対する取付け面（Ｈ１）を備える鍔部（２Ｂ）と、基台（１）に形成された貫通孔（６）に挿通する前記支軸（２Ｄ）とを一体形成するとともに、その支軸（２Ｄ）の先端側に、支持体（２）の鍔部（２Ｂ）との間で基台（１）を挾持するナット（２２）が螺合される雄ネジ部（２１）を形成し、
前記支持体（２）と前記基台（１）との相対向する取付け面（Ｈ１),（Ｈ２）のうち、前記支持体（２）側の取付け面（Ｈ１）において、前記ナット（２２）よりも前記支軸（２Ｄ）の軸芯（Ｐ）を中心とする径方向の外方位置に、前記軸芯（Ｐ）を中心とする円周方向に沿って３６０度未満の角度範囲で弧状の溝（１５）を形成し、
この弧状溝（１５）内に係合する第１係止片（１６）を備えた回動範囲規制体（１４）を、前記基台（１）の取付け面（Ｈ２）と前記支持体（２）の取付け面（Ｈ１）との間に前記支軸（２Ｄ）周りで相対回動自在に介在するとともに、
前記回動範囲規制体（１４）には、軸芯（Ｐ）を中心とする円周方向に沿って３６０度未満の角度範囲で弧状の被係合部（１８）を形成し、
更に、前記基台（１）側の取付け面（Ｈ２）には、前記被係合部（１８）に係合する第２係止片（１７）を設けるとともに、
前記支持体（２）又は前記基台（１）には、前記回動範囲規制体（１４）の外周側を覆う周壁部（１３）を形成してある照明器具。
【請求項２】
前記弧状の溝（１５）の外周部によって前記回動範囲規制体（１４）の外周側を覆う周壁部（１３）が構成されている請求項１記載の照明器具。
【請求項３】
前記回動範囲規制体（１４）の外周側を覆う周壁部（１３）の内周面と、回動範囲規制体（１４）の外周面との直径差を、回動範囲規制体（１４）の第１係止片（１６）と前記弧状の溝（１５）との径方向での係止状態保持長さよりも小さく構成することで、前記周壁部（１３）の内周面と回動範囲規制体（１４）の外周面とが当接した状態でも第１係止片（１６）と弧状の溝（１５）との係止状態が保持される構成である請求項１又は２記載の照明器具。
【請求項４】
前記基台（１）の第２係止片（１７）が、前記周壁部（１３）よりも径方向の内方位置で周壁部（１３）の先端面よりも溝側に入り込む形状に形成されているとともに、
前記基台（１）の第２係止片（１７）と周壁部（１３）の内周面とが当接した状態でも、第２係止片（１７）と被係合部（１８）との係止状態が保持される構成である請求項１〜３のいずれか１項に記載の照明器具。
【発明の詳細な説明】
【０００１】
【産業上の利用分野】
本発明は、スポットライト等の照明器具で、詳しくは、基台に、灯具を備えた支持体を、支軸周りで３６０度以上で、かつ、７２０度未満の範囲内で回動自在に取付けてある照明器具に関する。
【０００２】
【従来の技術】
この種の照明器具は、基台に対する支持体の支軸周りでの回動範囲が３６０度以上で、かつ、７２０度未満に規制されているから、照明器具の支軸周りでの照射不能な箇所を解消しながらも、基台に対する支持体の支軸周りでの無制限な回動を規制して、基台から灯具に導出されている電源コードのねじれによる断線の発生を防止することができる。
そして、従来では、図７、図８に示すように、ボルト（支軸の一例）５４及びナット６０を介して相対回動自在に取付けられる支持体５１と基台５２との相対向する偏平な取付け面Ｈ１，Ｈ２間に、基台５２に対する支持体５１の回動範囲を規制するための円板状の回動範囲規制体５３と、ボルト５４の軸芯Ｐ方向で弾性変形可能な波形座金５９とを、ボルト５４周りで相対回動自在に介在し、この回動範囲規制体５３の周縁には、ボルト５４の軸芯Ｐを中心とする円周方向に沿って３６０度未満の角度範囲内で直径方向外方に向かって開口する切欠部５６と、直径方向外方に向かって突出する舌片５８とを形成するとともに、前記支持体５１の取付け面Ｈ１には、前記回動範囲規制体５３の切欠部５６に係合して、支持体５１と回動範囲規制体５３との前記軸芯Ｐ周りでの相対回動角度範囲ａを３６０度未満に規制する第１係止突起５５を形成し、更に、前記基台５２の取付け面Ｈ２には、前記回動範囲規制体５３の舌片５８に対して回動方向から接当することにより、基台５２と回動範囲規制体５３との前記軸芯Ｐ周りでの相対回動角度範囲ｂを３６０度未満に規制する第２係止突起５７を形成したものが提案されている（例えば、実公平２−１７３６６号公報）。
尚、前記支持体５１の第１係止突起５５と回動範囲規制体５３の切欠部５６との係合による回動角度規制作用と、前記基台５２の第２係止突起５７と回動範囲規制体５３の舌片５８との接当による回動角度規制作用とにより、基台５２に対する支持体５１の回動角度範囲が３６０度以上で、かつ、７２０度未満に構成されている。
【０００３】
【発明が解決しようとする課題】
しかしながら、この従来の照明器具の場合、前記回動範囲規制体５３及び波形座金５９が、支持体５１と基台５２との相対向する取付け面Ｈ１，Ｈ２間から外部に露出するため、照明器具全体の外観意匠が損なわれ易く、しかも、ボルト５４に対する回動範囲規制体５３の貫通孔５３ａを大きくして、回動範囲規制体５３の組付け作業の容易化を図ると、その大きくしたクリアランスの分だけ回動範囲規制体５３が直径方向にズレ動き易くなり、当該回動範囲規制体５３の切欠部５６と前記支持体５１の第１係止突起５５との係合、及び、回動範囲規制体５３の舌片５８と前記基台５２の第２係止突起５７との接当が不確実になる可能性が高くなる。
特に、前記回動範囲規制体５３と前記基台５２の取付け面Ｈ２との間に波形座金５９が介在されている場合では、当該波形座金５９の直径方向へのズレ動きによって、前記支持体５１の第１係止突起５５及び基台５２の第２係止突起５７が波形座金５９に接当する可能性があり、その結果、前記支持体５１を基台５２に対して所定の回動角度範囲で回動させることができなくなる虞れがある。
【０００４】
本発明は、上述の実情に鑑みてなされたものであって、その目的は、照明器具の回動規制部の外観意匠の向上と、組付け作業の容易化とを図りながら、基台に対して支持体を所定の回動角度範囲に確実に規制することができる照明器具を提供する点にある。
【０００５】
【課題を解決するための手段】
本発明の照明器具の第１特徴構成は、基台に、灯具を備えた支持体を、支軸周りで３６０度以上で、かつ、７２０度未満の範囲内で回動自在に取付けてある照明器具であって、
前記支持体の端部側に、前記基台に対する取付け面を備える鍔部と、基台に形成された貫通孔に挿通する前記支軸とを一体形成するとともに、その支軸の先端側に、支持体の鍔部との間で基台を挾持するナットが螺合される雄ネジ部を形成し、
前記支持体と前記基台との相対向する取付け面のうち、前記支持体側の取付け面において、前記ナットよりも前記支軸の軸芯を中心とする径方向の外方位置に、前記軸芯を中心とする円周方向に沿って３６０度未満の角度範囲で弧状の溝を形成し、
この弧状溝内に係合する第１係止片を備えた回動範囲規制体を、前記基台の取付け面と前記支持体の取付け面との間に前記支軸周りで相対回動自在に介在するとともに、
前記回動範囲規制体には、前記軸芯を中心とする円周方向に沿って３６０度未満の角度範囲で弧状の被係合部を形成し、
更に、前記基台側の取付け面には、前記被係合部に係合する第２係止片を設けるとともに、
前記支持体又は前記基台には、前記回動範囲規制体の外周側を覆う周壁部を形成してある点にある。
【０００６】
上記特徴構成によれば、回動範囲規制体の第１係止片を支持体の取付け面に形成された弧状溝内に係合させることによって、これら両者による回動範囲規制作用を確実に発揮させることができるばかりでなく、支軸に対する回動範囲規制体の貫通孔を大きくして、当該回動範囲規制体の支軸に対する組付けの容易化を図っても、当該回動範囲規制体の直径方向でのズレ動き範囲を規制することができるから、回動範囲規制体の被係合部と基台側の取付け面に設けた第２係止片との係合による回動範囲規制作用の確実化をも図ることができる。しかも、前記回動範囲規制体の外周側が支持体又は基台に設けた周壁部にて覆われているから、この回動範囲規制体が外部に露出することがない又は少ない。
【０００７】
従って、照明器具の回動範囲規制部の外観意匠の向上と、支軸に対する回動範囲規制体の組付け作業の容易化とを図りながらも、基台に対して支持体を所定の回動角度範囲に確実に規制することができる。
【０００８】
また、前記支軸が支持体とは別途に製作されたボルトから構成されている場合に比して、部品点数の削減を図ることができるばかりでなく、支持体と基台との芯合わせも容易に行うことができて、照明器具の組付け作業の容易化を促進することができる。
【０００９】
本発明の照明器具の第２特徴構成は、前記弧状の溝の外周部によって前記回動範囲規制体の外周側を覆う周壁部が構成されている点にある。
【００１０】
本発明の照明器具の第３特徴構成は、前記回動範囲規制体の外周側を覆う周壁部の内周面と、回動範囲規制体の外周面との直径差を、回動範囲規制体の第１係止片と前記弧状の溝との径方向での係止状態保持長さよりも小さく構成することで、前記周壁部の内周面と回動範囲規制体の外周面とが当接した状態でも第１係止片と弧状の溝との係止状態が保持される構成である点にある。
【００１１】
本発明の照明器具の第４特徴構成は、前記基台の第２係止片が、前記周壁部よりも径方向の内方位置で周壁部の先端面よりも溝側に入り込む形状に形成されているとともに、
前記基台の第２係止片と周壁部の内周面とが当接した状態でも、第２係止片と被係合部との係止状態が保持される構成である点にある。
【００１２】
また、前記支持体の取付け面を前記回動範囲規制体を介して前記基台の取付け面側に押圧付勢する弾性部材が、前記基台の裏面側に配設されていてもよい。
【００１３】
上記構成であれば、前記基台に対して支持体を支軸周りの任意の回動位置で摩擦保持することができるばかりでなく、このための弾性部材が基台の裏面側に配置されているから、弾性部材が外部に露出することがなく、しかも、従来のように、弾性部材が回動範囲規制体等と相互干渉して所期の回動範囲規制作用に悪影響を及ぼすこともない。
【００１４】
従って、基台に対して支持体を支軸周りの任意の回動位置で位置保持するための弾性部材を設けながらも、照明器具の回動範囲規制部の外観意匠の向上を図りつつ、基台に対して支持体を所定の回動角度範囲に確実に規制することができる。
【００１５】
また、前記第１係止片が前記回動範囲規制体の外周縁の一部を打ち出し加工して形成された舌片から構成されていてもよい。
【００１６】
上記構成であれば、別途製作された第１係止片を回動範囲規制体に固着するものに比較して回動範囲規制体の製作工程の簡素化を図ることができて、照明器具の組付け作業の容易化を更に促進することができる。
【００２０】
【実施例】
図５、図６は、照明器具の一例であるスポットライト４を示し、基台１に、灯具３を備えた支持体２を、これら基台１と支持体２との連結部分に設けられている支軸２Ｄ周りで３６０度以上で、かつ、７２０度未満の範囲で回動自在に取付けてあり、この基台１と支持体２との連結部分が基台１に対する支持体２の回動範囲規制部Ｒに構成されている。
尚、前記スポットライト４は、天井面５に対して、基台１を当該天井面５の表面側にネジ止め固定することによって垂下状態で固設される。
【００２１】
前記基台１は、上方に向かって開口する側面視逆凸状の円筒体から構成されているとともに、当該基台１の底板部分１Ａには貫通孔６が形成されている。
また、前記支持体２は、一つの縦軸芯Ｐを共通の縦軸芯として、円管状部材２Ａの上端側に後述する基台１との取付け面Ｈ１を備える円板状鍔部２Ｂを形成し、前記円板状鍔部２Ｂの上端面に筒状の前記支軸２Ｄを一体的に突出形成する（すなわち、支持体２の端部側に円板状鍔部２Ｂと支軸２Ｄとを一体形成する）とともに、当該円管状部材２Ａの下端側に半円状の膨出部２Ｃを一体形成して構成されている。
また、前記スポットライト４の組立状態では、前記支軸２Ｄが基台１の貫通孔６に挿通される。
【００２２】
図５に示すように、前記灯具３は、ハロゲン球やクリプトン球等のランプ７を装着保持するランプホルダー８を備えた灯具本体９に、反射板１０を着脱自在に取付けて構成され、更に、支持体２と灯具３とは、灯具本体９の上面側後端部分に一体形成されている左右一対のブラケット９Ａ間に、前記支持体２の膨出部２Ｃを内嵌させるとともに、両ブラケット９Ａと膨出部２Ｃとに亘って頭付きのヒンジ軸１１を水平方向から挿通して連結されていて、支持体２に対して灯具３が、ヒンジ軸１１の水平軸芯Ｑ周りで回動自在に構成されている。
前記ヒンジ軸１１のうち、一方のブラケット９Ａから突出した先端側雄ネジ部分には摘みを備えた袋ナット１２が螺合されていて、この袋ナット１２をブラケット９Ａ側に締付けることにより膨出部２Ｃが両ブラケット９Ａに挾持され、支持体２に対して灯具３が任意の回動位置で摩擦保持可能に構成されている。
【００２３】
次に、前記回動範囲規制部Ｒの具体的構造について図１〜図４に基づいて説明する。
図１に示すように、前記支持体２の円板状鍔部２Ｂと基台１の底板部分１Ａとの縦軸芯Ｐに沿う方向で相対向する取付け面Ｈ１，Ｈ２間のうち、支持体２側の取付け面Ｈ１には、後述するナット２２よりも支軸２Ｄの縦軸芯Ｐを中心とする径方向の外方位置に、同じく縦軸芯Ｐを中心とする円周方向に沿って、約３５０度の角度範囲で弧状の溝１５が形成されている。
また、前記基台１の取付け面Ｈ２と支持体２の取付け面Ｈ１との間において、円板状の回動範囲規制体１４が、その中心部に形成してある貫通孔１４Ａを通して支軸２Ｄ周りで相対回動自在に外嵌されていて、この回動範囲規制体１４の周縁に、前記弧状溝１５内に係合する第１舌片（第１係止片の一例）１６が、当該弧状溝１５内に向かって打ち出し形成されているとともに、この回動範囲規制体１４の周縁で、第１舌片１６と直径方向で相対向する位置には、支軸２Ｄの縦軸芯Ｐを中心とする円周方向に沿って約６０度の角度範囲で直径方向外方に向かって開口する弧状の切欠部（被係合部の一例）１８が形成されている。
更に、前記基台１側の取付け面Ｈ２には、前記回動範囲規制体１４の切欠部１８に係合して回動方向で接当する第２舌片（第２係止片の一例）１７が、基台１の底板部分１Ａから支持体２の取付け面Ｈ１に向かって打ち出し形成されている。
従って、図２の（イ）、（ロ）に示すように、前記基台１に対して支持体２を縦軸芯Ｐ周りに相対回動操作したとき、前記支持体２の弧状溝１５と回動範囲規制体１４の第１舌片１６との係合による支持体２と回動範囲規制体１４との縦軸芯Ｐ周りでの相対回動角度範囲ａが約３３０度に規制され、前記回動範囲規制体１４の切欠部１８と基台１の第２舌片１７との接当による回動範囲規制体１４と基台１との縦軸芯Ｐ周りでの相対回動角度範囲ｂが約４０度に規制されているため、弧状溝１５と第１舌片１６との係合による回動角度規制作用と、切欠部１８と第２舌片１７との接当による回動角度規制作用とにより、基台１に対する支持体２の回動角度範囲が約３７０度に構成されている。
【００２４】
尚、図１に示すように、前記支持体２の円板状鍔部２Ｂのうち、取付け面Ｈ１側の周縁で、かつ、弧状溝１５の直径方向外方には、縦軸芯Ｐを中心として回動範囲規制体１４の外周側を覆う円環状の周壁部１３が一体形成されていて、基台１と支持体２との組立状態では、周壁１３部と底板部分１Ａとの間に僅かな隙間が存在するように構成されている。
従って、前記隙間を通して回動範囲規制体１４が外部に殆ど露出することがなく、又は、露出したとしてもその露出量は極僅かであるから、外観意匠の向上を図ることができる。
尚、この周壁部１３は、弧状溝１５の外周部によって構成されている。
【００２５】
また、図１に示すように、前記支持体２の支軸２Ｄのうち、基台１の底板部分１Ａの裏面側に突出する部分には、当該底板部分１Ａの貫通孔６の内径よりも大きな外径で形成されたワッシャ１９と、支持体２の取付け面Ｈ１を回動範囲規制体１４を介して基台の取付け面Ｈ２側に押圧付勢する波形座金（弾性部材の一例）２０とが外嵌配設されているとともに、支軸２Ｄの先端側の外周面には雄ネジ部２１が形成されていて、当該雄ネジ部２１にナット２２を螺合することによって、ワッシャ１９を介して基台１の底板部分１Ａの裏面とナット２２との間で波形座金２０が挾持固定されているとともに、ナット２２と支持体２の円板状鍔部２Ｂとの間で波型座金２０、ワッシャ１９、回動範囲規制体１４とを介して基台１の底板部分１Ａが挟持され、かつ、基台１の底板部分１Ａの貫通孔６から支軸２Ｄが抜け出すことが規制されている。
従って、前記ナット２２の締付力によって波形座金２０を縦軸芯Ｐ方向に押圧変形することにより、当該波形座金２０の弾性復元力をもって、基台１に対して支持体２を縦軸芯Ｐ周りの任意の回動位置で摩擦保持できるように構成されている。
そしてまた、前記回動範囲規制体１４の外周側を覆う周壁部１３の内周面と、回動範囲規制体１４の外周面との直径差を、回動範囲規制体１４の第１係止片１６と前記弧状溝１５との径方向での係止状態保持長さよりも小さく構成してあり、周壁部１３の内周面と回動範囲規制体１４の外周面とが当接した状態でも第１係止片１６と弧状溝１５との係止状態が保持されるようにしてある。
また、基台１の第２係止片１７が、周壁部１３よりも径方向の内方位置で周壁部１３の先端面よりも溝側に入り込む形状に形成されているとともに、基台１の第２係止片１７と周壁部１３の内周面とが当接した状態でも、第２係止片１７と被係合部１８との係止状態が保持されるようにしてある。
【００２６】
〔その他の実施例〕
▲１▼  上記実施例では、前記支持体２の弧状溝１５の角度範囲を約３５０度に形成するとともに、前記回動範囲規制体１４の切欠部の角度範囲を約６０度に形成して、基台１に対する支持体２の回動角度範囲を約３７０度となるように構成して実施しているが、この構成に限定されるものではなく、前記支持体２の弧状溝１５が３６０度未満の角度範囲内で形成されているとともに、前記回動範囲規制体１４の切欠部が３６０度未満の角度範囲内で形成されていて、全体として、基台１に対する支持体２の回動角度範囲が３６０度以上で、かつ、７２０度未満となるように構成されているならば、弧状溝１５の角度範囲及び切欠部の角度範囲の変更は自由である。
また、第１舌片１６と第２舌片１７の回動方向での幅を変更して、支持体２と回動範囲規制体１４との縦軸芯Ｐ周りでの相対回動角度範囲ａ、及び、回動範囲規制体１４と基台１との縦軸芯Ｐ周りでの相対回動角度範囲ｂを変更してもよい。この場合でも、基台１に対する支持体２の回動角度範囲が３６０度以上で、かつ、７２０度未満となるように構成する。
【００２７】
▲２▼  上記実施例では、前記第１係止片１６と第２係止片１７との各々が、回動範囲規制体１４と基台１とから打ち出し加工して形成された舌片から構成されているが、この構成に限定されるものではなく、各係止片１６，１７を回動範囲規制体１４又は基台１とは別途製作して、回動範囲規制体１４又は基台１に各別に取付けて実施してもよい。
▲３▼  上記実施例では、前記係合部１８を切欠部をもって構成したが、支軸２Ｄの縦軸芯Ｐを中心とする円周方向に沿う弧状の長孔で構成してもよい。
▲４▼  上記実施例では、前記弾性部材２０を波形座金をもって構成したが、ナット２２の締付力で縦軸芯Ｐ方向に弾性復元力を発揮できるものであるならば、例えば、環状のゴム体やコイルスプリングであってもよい。
▲５▼  上記実施例では、前記回動範囲規制体１４の外周側を覆う周壁部１３を、支持体２の円板状鍔部２Ｂに一体形成したが、当該周壁部１３を基台１の底板部分１Ａ側に形成してもよい。
▲６▼  上記実施例では、前記支持体２がほぼ円管状に構成されているが、図７に示すような、下向き開口姿勢のコの字状に形成された板体で支持体２を構成してもよい。
この場合、基台１と支持体２とを別途製作されたボルトで連結して、当該ボルトを支軸２Ｄに兼用して実施してもよい。
▲７▼  上記実施例では、基台１として、天井面５の表面側にビス止めして固設されるものを用いて説明したが、この構成に限定されるものではなく、例えば、天井面の表面側に設けられたレールに対して摺動自在に構成されたもの、又は、テーブル等に弾性挾持可能な一対の挾持片と、当該両挾持片を弾性力に抗して強制的に挾持解除する一対の把持片とを備えたワニ口クリップ状に構成されたもの、或いは、卓上に安定姿勢で載置可能なスタンド型であってもよい。
【００２８】
尚、特許請求の範囲の項に図面との対照を便利にするために符号を記すが、該記入により本発明は添付図面の構成に限定されるものではない。
【図面の簡単な説明】
【図１】回動範囲規制部の縦断面図
【図２】回動範囲規制部の回動動作を示す動作図のうち、（イ）は回動方向一端側限界位置での水平断面図、（ロ）は回動方向他端側限界位置での水平断面図
【図３】図１のＩＩＩ−ＩＩＩ線断面図
【図４】回動範囲規制部の分解斜視図
【図５】スポットライトの縦断面図
【図６】スポットライトの正面図
【図７】従来例の回動範囲規制部の分解斜視図
【図８】従来例の回動範囲規制部の回動動作を示す動作図
【符号の説明】
１    基台
２    支持体
２Ｄ  支軸
３    灯具
１３  周壁部
１４  回動範囲規制体
１５  溝（弧状溝）
１６  第１係止片
１７  第２係止片
１８  被係合部
２０  弾性部材
２１  雄ネジ部
２２  ナット
Ｐ    軸芯
Ｈ１  取付け面
Ｈ２  取付け面
【図１】
0003838674.tif 000002
【図２】
0003838674.tif 000003
【図３】
0003838674.tif 000004
【図４】
0003838674.tif 000005
【図５】
0003838674.tif 000006
【図６】
0003838674.tif 000007
【図７】
0003838674.tif 000008
【図８】
0003838674.tif 000009